(57)【特許請求の範囲】
【請求項１】
デッキプレートを支持する第１の梁と、
該第１の梁の上方に空隙をあけて設けられ、引張手段により前記第１の梁と結合される第２の梁とを備え、
前記第１の梁の上部に下端筋が配筋され、
前記第２の梁の上部に上端筋が配筋されることを特徴とする鉄筋コンクリートスラブ構造。
【請求項２】
請求項１記載の鉄筋コンクリートスラブ構造において、
前記引張手段は、前記第１の梁及び前記第２の梁の両端部間を略等分する位置に配置されることを特徴とする鉄筋コンクリートスラブ構造。
【請求項３】
請求項１または２記載の鉄筋コンクリートスラブ構造において、
前記引張手段は、ネジ部を有し前記第１の梁及び前記第２の梁を貫通する鋼材と、該鋼材の前記ネジ部に螺着する螺着部材とを含むことを特徴とする鉄筋コンクリートスラブ構造。
【請求項４】
請求項１または２記載の鉄筋コンクリートスラブ構造において、
前記引張手段は、前記第１の梁に固着するとともに前記第２の梁に当接する束材と、
該束材を前記第２の梁に締結固定する締結手段とを含むことを特徴とする鉄筋コンクリートスラブ構造。
【発明の詳細な説明】
【０００１】
【発明の属する技術分野】
本発明は、鉄筋コンクリートスラブ構造に関し、特にデッキプレートをスラブに固設するデッキプレート工法が採用される鉄筋コンクリートスラブ構造に関するものである。
【０００２】
【従来の技術】
原子力発電所や再処理施設等の原子力関連施設においては、遮蔽要求があることから部材厚さの大きいＲＣ（鉄筋コンクリート）スラブが多いが、このＲＣスラブ施工に際して、工程上の制約や先入れ機器等の計画がある場合には、型枠支保工が省略できるデッキプレート工法が採用されている。このデッキプレート工法は、波形をして強度がある広幅の鋼板をコンクリートスラブの型枠として使用するものである。
【０００３】
この種のデッキプレート工法を採用する際、仮設となるデッキ受け梁が必要となるが、部屋内の機器・配管等の配置制約によりスラブ下に仮設デッキ受け梁を露出しないようにしなければならず、従来ではデッキ受け梁をスラブコンクリートに埋め込むか、スラブ上に仮設する以下の納まりが一般的である。
（１）図４は、並列するＨ鋼からなるデッキ受け梁１、１の下フランジ２、２間にデッキプレート３が懸架された図である。この図に示すように、デッキ受け梁１は、デッキプレート３の厚さに相当する範囲のみがスラブＳの下方に露出するように埋設される。この場合、スラブＳに配筋される下端筋４はデッキ受け梁１、１の上方に配置される。
（２）図５に示すスラブ構造は、図４に示した構造と同様であるが、梁貫通形式であり、下端筋４が梁であるＨ鋼のウェブ５を貫通することになる。
（３）図６に示すスラブ構造は、吊梁６によりスラブＳの上から吊るものであり、下端筋４はデッキ受け梁１、１の上方に配筋される。
（４）図７に示すスラブ構造は、Ｈ鋼からなる鉄骨（弦材）７、７が斜材８で連結された鉄骨トラス９をスラブＳ内に組むものである。
なお、図４〜図７においては、上端筋の図示を省略した。
【０００４】
【発明が解決しようとする課題】
しかしながら、上述したような従来のコンクリートスラブ構造には、以下のような問題が存在する。
（１）の構造では、スラブＳの下端筋４が上方に上がり、スラブ中央で配筋をサイズアップする必要が生じる場合がある。また、下端筋４がスラブＳの中央近傍に配筋されるため、かぶりが極端に大きくなり構造上好ましくない。
【０００５】
（２）の構造では、ウェブ５に下端筋４に応じた貫通孔を形成する必要があるとともに、この貫通孔に下端筋４を一本、一本挿通させなければならず、施工性が非常に悪いという問題があった。
【０００６】
（３）の構造では、大掛かりな吊梁６が必要となり、また、その支持方法も複雑であり、吊梁撤去に手間がかかるとともに、撤去後の処理も煩雑であるという問題があった。
【０００７】
（４）の構造では、スラブＳの下端筋４が鉄骨トラス９の斜材８と干渉する場合、下端筋４の位置をずらす等、斜材８の間に配置することになり、（２）と同様に施工性が非常に悪いという問題があった。
【０００８】
本発明は、以上のような点を考慮してなされたもので、デッキプレートを用いる場合でも、スラブの外に仮設材を用いることなく施工性に優れ、仮設受け梁をスラブ内に埋め込んだ適正構造を有する鉄筋コンクリートスラブ構造を提供することを目的とする。
【０００９】
【課題を解決するための手段】
上記の目的を達成するために本発明は、以下の構成を採用している。
請求項１記載の鉄筋コンクリートスラブ構造は、デッキプレートを支持する第１の梁と、該第１の梁の上方に空隙をあけて設けられ、引張手段により前記第１の梁と結合される第２の梁とを備え、前記第１の梁の上部に下端筋が配筋され、前記第２の梁の上部に上端筋が配筋されることを特徴とするものである。
【００１０】
従って、本発明の鉄筋コンクリートスラブ構造では、第２の梁を設置する前にデッキプレートを支持する第１の梁の上部に下端筋を配筋できるので、第２の梁の位置に依存せずに下端筋をずらしたりする必要がなくなる。また、この構造では、スラブの外に仮設材を用いることなく施工することができる。
【００１１】
請求項２記載の鉄筋コンクリートスラブ構造は、請求項１記載の鉄筋コンクリートスラブ構造において、前記引張手段は、前記第１の梁及び前記第２の梁の両端部間を略等分する位置に配置されることを特徴とするものである。
【００１２】
従って、本発明の鉄筋コンクリートスラブ構造では、第１の梁の自重及び下端筋による撓みをボルトで調整可能となり、撓みを矯正することができる。
【００１３】
請求項３記載の鉄筋コンクリートスラブ構造は、請求項１または２記載の鉄筋コンクリートスラブ構造において、前記引張手段は、ネジ部を有し前記第１の梁及び前記第２の梁を貫通する鋼材と、該鋼材の前記ネジ部に螺着する螺着部材とを含むことを特徴とするものである。
【００１４】
従って、本発明の鉄筋コンクリートスラブ構造では、施工を簡便に実施できるとともに、鋼材料を最低限に抑えることができる。ネジ部を有する鋼材としては長ボルトやネジ鉄筋、丸鋼にネジ切りが施されたもの等が採用可能である。
【００１５】
請求項４記載の鉄筋コンクリートスラブ構造は、請求項１または２記載の鉄筋コンクリートスラブ構造において、前記引張手段は、前記第１の梁に固着するとともに前記第２の梁に当接する束材と、該束材を前記第２の梁に締結固定する締結手段とを含むことを特徴とするものである。
【００１６】
従って、本発明のコンクリートスラブ構造では、下端筋を配筋する際に、束材を避けながら施工することができるとともに、ボルト等の締結手段により束材を第２の梁に締結固定することで、第１の梁と第２の梁とを空隙をあけた状態で結合することができる。
【００１７】
【発明の実施の形態】
以下、本発明の鉄筋コンクリートスラブ構造の第１の実施形態を、図１および図２を参照して説明する。これらの図において、従来例として示した図４乃至図７と同一の構成要素には同一符号を付し、その説明を省略する。
【００１８】
図１および図２に示す鉄筋コンクリートスラブ構造は、水平方向に延びる下段梁（第１の梁）１１および上段梁（第２の梁）１２がスラブＳ内に上下二段に配列されて埋め込み内蔵されたものであり、これら下段梁１１、上段梁１２としてはＨ鋼が使用されている（図２参照）。下段梁１１の下部フランジ１１ａには、デッキプレート３の端部が支持されており、下段梁１１はこのフランジ１１ａのみがスラブＳの下部に露出される。なお、下段梁１１は、両端部に存在する先行して施工された壁２０により支持されている。
【００１９】
上段梁１２は、下段梁１１の上方に空隙１３をあけて設けられており、これら下段梁１１と上段梁１２とは、両端部および両端部間を２等分する中央部で結合されている。これを詳述すると、下段梁１１の両端部には上方に向けて束材１４、１４の下端が先付けで固定されており、上段梁１２は取付ボルト等の締結部材１５により緊締されることで束材１４を介して下段梁１１に結合される。なお、束材１４は、Ｈ鋼、角型鋼管等からなり、下端が溶接等で下段梁１１に固着され、束材１４の上端には鋼板１４ａが溶接されて一体化されている。そして、上段梁１２の下部フランジ１２ａと束材１４の鋼板１４ａとが当接して締結部材１５で締結されることで下段梁１１と上段梁１２とが結合される。
【００２０】
また、中央部において下段梁１１と上段梁１２とは、図２に示すように、下段梁１１の上部フランジ１１ｂと、上段梁１２の下部フランジ１２ａとをそれぞれ貫通して設けられたネジ鉄筋（引張手段）１６、１６に、ナット等の螺着部材（引張手段）１７が螺着してフランジ１１ｂ、１２ａにそれぞれ係止することによって結合される。これらネジ鉄筋１６および螺着部材１７により本発明に係る引張手段が構成される。なお、上部フランジ１１ｂと下部フランジ１２ａを貫通する部材は、ネジ部が形成された鋼材、特に緊張材であればネジ鉄筋に限られず、長ボルトや、ネジ切りが施された丸鋼を採用できるが、以下の説明では代表的にネジ鉄筋を用いるものとする。
【００２１】
一方、下段梁１１の上部フランジ１１ｂの上部には、下端筋１８が格子状に配筋され、上段梁１２の上部フランジ１２ｂの上部には上端筋１９が格子状に配筋される。
【００２２】
上記の構成の鉄筋コンクリートスラブの施工手順について説明する。
まず、両端部に束材１４、１４が先付けされた下段梁１１を設置するとともに、この下段梁１１の下部フランジ１１ａにデッキプレート３を支持させて取り付ける。次に、下段梁１１の上方に下端筋１８を配筋する。このとき、下段梁１１の上部フランジ１１ｂに形成されたネジ鉄筋用貫通孔（図示せず）を目安にして、ネジ鉄筋１６と下端筋１８とが干渉しない位置に下端筋１８を配置する。
【００２３】
続いて、上段梁１２を下段梁１１および下端筋１８の上方に取り付ける。具体的には、まず束材１４の鋼板１４ａ上に上段梁１２を載置し、締結部材１５により上段梁１２の下部フランジ１２ａと束材１４とを締結・固定することで、下段梁１１と上段梁１２とを両端部において結合する。また、上部フランジ１１ｂおよび下部フランジ１２ａ（の貫通孔）にネジ鉄筋１６を貫通させた後に、ネジ鉄筋１６の両端に螺着部材１７を螺着させることで、下段梁１１と上段梁１２とを中央部において結合する。このとき、ネジ鉄筋６を緊張して下段梁１１の撓みを矯正する。上段梁１２の断面および高さ寸法は、スラブコンクリート打設による荷重に耐え、且つ許容撓み以内となるよう設定されている。
【００２４】
そして、上段梁１２の上方に上端筋１９を配筋した後に、コンクリートを打設することにより鉄筋コンクリートスラブＳの施工が完了する。
【００２５】
このように、本実施の形態の鉄筋コンクリートスラブ構造では、梁１１、１２を二段構造とし、梁１１の上部に下端筋１８を配筋した後に、梁１１、１２を結合するので、部屋内に制約を受けデッキプレート工法を採用する場合でも、梁１１、１２間に下端筋１８を挿入する等の煩雑な作業が不要になり、下端筋の配筋作業を容易に行うことができ施工性が向上する。また、本実施の形態では、梁１１、束材１４の高さを調整することで、下端筋１８及び上端筋１９を適正な位置（高さ）に配筋できるため、配筋をサイズアップさせたり、かぶりが極端に大きくなることを防止でき、適正構造を有する鉄筋コンクリートスラブを施工することが可能になる。しかも、本実施の形態では、下段梁１１および上段梁１２に対してネジ鉄筋１６を緊張状態で取り付けることで、下段梁１１及び下端筋１８の自重による撓みを矯正することが可能になる。
【００２６】
さらに、本実施の形態では、下段梁１１及び上段梁１２を下端筋１８及び上端筋１９に対する受け架台（スペーサ）として兼用することで、スペーサを省略することができ、またスラブＳの外に仮設材を使用することなく施工できるので大幅な施工性の改善を実現できる。また、梁１１、１２の結合手段としてネジ鉄筋１６を用いることで、簡便に撓み矯正施工ができるとともに、下段梁鋼材料を最低限に抑えることも可能になっている。ここで、上述したように、ネジ鉄筋１６は緊張材であればよく、長ボルトやネジ切り棒鋼等を用いてもよい。
【００２７】
図３は、本発明の鉄筋コンクリートスラブ構造の第２の実施形態を示す図である。この図において、図１および図２に示す第１の実施の形態の構成要素と同一の要素については同一符号を付し、その説明を省略する。第２の実施の形態と上記の第１の実施の形態とが異なる点は、梁１１、１２を中央部で結合する手段として束材を用いたことである。
【００２８】
すなわち、図３に示すように、下段梁１１の中央部には、両端部と同様に上方に向けて束材１４が先付けで固定されており、上段梁１２は締結部材１５により束材１４の鋼板１４ａに緊張・締結・固定されることで下段梁１１に結合される。このとき、束材１４と下段梁１１とは溶接により接合されており、締結部材１５による緊張に必要な接合強度を有している。なお、本実施の形態では、鋼板１４ａを含む束材１４および取付ボルト、ナット等の締結部材（締結手段）１５により本発明に係る引張手段が構成される。他の構成は、上記第１の実施形態と同様である（なお、図３では下端筋１８及び上端筋１９の図示を省略している）。
【００２９】
本実施の形態のスラブ構造では、上記第１の実施形態と同様の作用・効果が得られることに加えて、締結部材１５により梁１１、１２を締結固定することで、下段梁１１を上方へ引き上げ、下段梁１１、デッキプレート３、下端筋１８の自重に起因する下段梁１１の撓みを矯正することが可能になる。特に、本実施の形態では、下段梁１１と上段梁１２とを両端部及び両端部間を等分する位置で結合するので、より効果的に撓みを矯正することができる。また、本実施の形態では、束材１４を全て下段梁１１に先付けすることになるので、下端筋１８を設置する際に束材１４を避けて配筋することができ、配筋後の位置調整が不要になる。
【００３０】
なお、上記実施の形態において、下段梁１１と上段梁１２とを中央部で結合する構成としたが、これに限定されるものではなく、両端部間を３等分する位置等、略等分する位置であればよい。また、下段梁１１と上段梁１２とを結合する手段として示したものは一例であり、下端筋１８の配筋後に緊張してから結合できるものであれば溶接等の他の構成を採用してもよい。
【００３１】
【発明の効果】
以上説明したように、請求項１に係る鉄筋コンクリートスラブ構造は、引張手段で第１の梁と第２の梁とを結合し、第１の梁の上部に下端筋を配筋し、第２の梁の上部に上端筋を配筋する構成となっている。
これにより、この鉄筋コンクリートスラブ構造では、部屋内に制約を受けデッキプレート工法を採用する場合でも、スラブの外に仮設材を使用することなく配筋作業を容易に行うことができ施工性が向上するとともに、適正構造を有する鉄筋コンクリートスラブを施工でき、さらにコストダウンも実現するという効果が得られる。
【００３２】
請求項２に係る鉄筋コンクリートスラブ構造は、引張手段が第１の梁及び第２の梁の両端部間を略等分する位置に配置される構成となっている。
これにより、この鉄筋コンクリートスラブ構造では、より効果的に撓みを矯正できるという効果を奏する。
【００３３】
請求項３に係る鉄筋コンクリートスラブ構造は、引張手段がネジ部を有し第１の梁及び第２の梁を貫通する鋼材と、鋼材のネジ部に螺着する螺着部材とを含む構成となっている。
これにより、この鉄筋コンクリートスラブ構造では、施工が簡便になるとともに、鋼材料を最低限に抑えることが可能になることに加えて、鋼材を緊張して配設することで第１の梁及び下端筋の自重による撓みを矯正できるという効果を奏する。
【００３４】
請求項４に係る鉄筋コンクリートスラブ構造は、引張手段が第１の梁に固着するとともに第２の梁に当接する束材と、束材を第２の梁に締結固定する締結手段とを含む構成となっている。
これにより、この鉄筋コンクリートスラブ構造では、下端筋を設置する際に束材を避けて配筋することができ、配筋後の位置調整が不要になるとともに、束材と第２の梁とを緊締することで、第１の梁及び下端筋の自重による撓みを矯正できるという効果を奏する。
【図面の簡単な説明】
【図１】   本発明の第１の実施形態を示す図であって、下段梁と上段梁との間に下端筋が配筋され、上段梁の上方に上端筋が配筋された断面図である。
【図２】   図１における側面断面図である。
【図３】   本発明の第２の実施形態を示す断面図である。
【図４】   従来技術による鉄筋コンクリートスラブ構造の一例を示す図である。
【図５】   従来技術による鉄筋コンクリートスラブ構造の一例を示す図である。
【図６】   従来技術による鉄筋コンクリートスラブ構造の一例を示す図である。
【図７】   従来技術による鉄筋コンクリートスラブ構造の一例を示す図である。
【符号の説明】
Ｓ  スラブ
３  デッキプレート
１１  下段梁（第１の梁）
１２  上段梁（第２の梁）
１３  空隙
１４  束材（引張手段）
１５  締結部材（締結手段、引張手段）
１６  ネジ鉄筋（引張手段、鋼材）
１７  螺着部材（引張手段）
１８  下端筋
１９  上端筋
【図１】
0003769727.tif 000002
【図２】
0003769727.tif 000003
【図３】
0003769727.tif 000004
【図４】
0003769727.tif 000005
【図５】
0003769727.tif 000006
【図６】
0003769727.tif 000007
【図７】
0003769727.tif 000008